【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
床に配置されるフレームであって、ウォール・ビーム、ヘッダ・フレーム、及び前記ウォール・ビームと前記ヘッダ・フレームに固定された複数のポストによって形成され、前記ヘッダ・フレームが前記フレームの幅を延長し、前記ウォール・ビームが前記フレームの長さを延長する前記フレームと、
前記床から前記ウォール・ビームの１つへ延在する複数のブランキング・パネルであって、頂部、底部、第一側部及び第２側部を有する前記複数のブランキング・パネルと、
各ブランキング・パネルの前記第一側部及び前記第２側部の少なくとも一方に沿って配置された鉛直スチフナと、
を備える通路密閉システムであって、
各ブランキング・パネルが前記フレームの前記長さに沿って隣接ブランキング・パネルに部分的に重なり、前記ブランキング・パネルが、前記通路密閉システムの開口を塞ぐように側方へ調節され、
前記ウォール・ビームの１つに固定されたパネル・クランプを備え、前記パネル・クランプが、前記パネル・クランプを前記ウォール・ビームの１つに固定する締結具を受けるための開口を有する第１端部と、第２端部と、を有し、
前記パネル・クランプが、前記ブランキング・パネルを受けるために、前記ウォール・ビームの１つと前記パネル・クランプとの間にスロットを画定し、
前記パネル・クランプの第２端部が、角度付きフランジを有し、前記角度付きフランジが、前記通路密閉システムの前記ブランキング・パネルと前記パネル・クランプとの間の開口を密閉するフラップ・シールを受ける、通路密閉システム。
【請求項２】
各鉛直スチフナが、前記ブランキング・パネルを調節するハンドルを提供するための外方延在フランジを有する、請求項１に記載の通路密閉システム。
【請求項３】
隣接ブランキング・パネルの前記外方延在フランジが、反対方向へ延在する、請求項２に記載の通路密閉システム。
【請求項４】
前記鉛直スチフナが、各ブランキング・パネルの前記第一側部及び前記第２側部に沿って配置される、請求項１に記載の通路密閉システム。
【請求項５】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項１に記載の通路密閉システム。
【請求項６】
前記フラップ・シールが第１の自由端及び第２端部を有し、前記第２端部が、前記パネル・クランプの前記第２端部にある前記角度付きフランジを受けるチャネルを含む、請求項１に記載の通路密閉システム。
【請求項７】
前記通路密閉システムの前記ウォール・ビームの下に設置された複数のキャビネット、及び、前記ウォール・ビームと前記キャビネットとの間の任意の開口を塞ぐために、前記複数のキャビネットの上方に設置された複数の調節可能なキャビネット上方ブランキング・パネルをさらに備える、請求項１に記載の通路密閉システム。
【請求項８】
各キャビネット上方ブランキング・パネルが、頂部、底部、第１側部及び第２側部を有し、前記キャビネット上方ブランキング・パネルの前記底部を受けるために、少なくとも１つのキャビネットの頂部にキャビネット・チャネルが固定される、請求項７に記載の通路密閉システム。
【請求項９】
各キャビネット上方ブランキング・パネルが、隣接するキャビネット上方ブランキング・パネルに部分的に重なり合い、前記キャビネット上方ブランキング・パネルが、前記キャビネットと前記ウォール・ビームとの間の開放空間を塞ぐように、前記キャビネット・チャネル内で相互に対して摺動する、請求項８に記載の通路密閉システム。
【請求項１０】
前記ウォール・ビーム間に延在する天井パネルをさらに備える、請求項１に記載の通路密閉システム。
【請求項１１】
通路密閉システムであって、
第１端部及び第２端部、前記第１端部及び前記第２端部のそれぞれに配置された２つのポスト、フレームの幅を延長するヘッダ・フレーム、並びに前記フレームの長さを延長するウォール・ビームを有するフレームであって、前記ヘッダ・フレーム及び前記ウォール・ビームが前記ポストに固定された前記フレームと、
前記フレーム内に配置された複数のキャビネットと、
前記通路密閉システムの開口を塞ぐために前記キャビネットに隣接して配置された複数のブランキング・パネルであって、前記ブランキング・パネルが床から前記ウォール・ビームの１つへ延在し、頂部、底部、第１側部及び第２側部を有し、各ブランキング・パネルの前記第１側部及び前記第２側部の少なくとも一方に沿って鉛直スチフナが配置され、各ブランキング・パネルが、隣接ブランキング・パネルに部分的に重なり合い、前記ブランキング・パネルが、前記通路密閉システムの開口を塞ぐように側方へ調節される前記複数のブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、第２端部と、を有する、パネル・クランプと、
を備え、
前記固定されたパネル・クランプが、前記ウォール・ビームの１つと前記パネル・クランプとの間に、前記ブランキング・パネルを受けるためのスロットを画定し、
前記パネル・クランプの第２端部が、角度付きフランジを有し、前記角度付きフランジが、前記通路密閉システムの前記ブランキング・パネルと前記パネル・クランプとの間の開口を密閉するようにフラップ・シールを受ける、通路密閉システム。
【請求項１２】
各鉛直スチフナが、前記ブランキング・パネルを調節するハンドルを提供するための外方延在フランジを有し、隣接ブランキング・パネルの前記外方延在フランジが、反対方向へ延在する、請求項１１に記載の通路密閉システム。
【請求項１３】
前記鉛直スチフナが、各ブランキング・パネルの前記第１側部及び前記第２側部に沿って配置される、請求項１１に記載の通路密閉システム。
【請求項１４】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項１１に記載の通路密閉システム。
【請求項１５】
フラップ・シールが、第１の自由端及び第２端部を有し、前記第２端部が、前記パネル・クランプの前記第２端部にある角度付きフランジを受けるチャネルを含む、請求項１１に記載の通路密閉システム。
【請求項１６】
前記ウォール・ビームと前記キャビネットとの間の任意の開口を塞ぐために、前記複数のキャビネットの上方に設置された複数の調節可能なキャビネット上方ブランキング・パネルをさらに備える、請求項１１に記載の通路密閉システム。
【請求項１７】
各キャビネット上方ブランキング・パネルが、頂部、底部、第１側部及び第２側部を有し、キャビネット上方ブランキング・パネルの前記底部を受けるために、少なくとも１つのキャビネットの頂部にキャビネット・チャネルが固定され、各キャビネット上方ブランキング・パネルが、隣接キャビネット上方ブランキング・パネルに部分的に重なり合い、前記キャビネット上方ブランキング・パネルが、前記キャビネットと前記ウォール・ビームとの間の開放空間を塞ぐために、前記キャビネット・チャネル内で相互に対して摺動する、請求項１６に記載の通路密閉システム。
【請求項１８】
前記ウォール・ビーム間で延在する天井パネルをさらに備える、請求項１１に記載の通路密閉システム。
【請求項１９】
通路密閉システムであって、
第１端部及び第２端部、前記第１端部及び前記第２端部のそれぞれに配置された２つのポスト、フレームの幅を延長するヘッダ・フレーム、並びに前記フレームの長さを延長するウォール・ビームを有するフレームであって、前記ヘッダ・フレーム及び前記ウォール・ビームが前記ポストに固定された前記フレームと、
前記フレーム内に配置された複数のキャビネットと、
前記ウォール・ビームと前記キャビネットとの間の任意の開口を塞ぐために、前記複数のキャビネットの上方に設置された複数の調節可能なキャビネット上方ブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、第２端部と、を有する、パネル・クランプと、
を備え、前記固定されたパネル・クランプが、前記キャビネット上方ブランキング・パネルを受けるために、前記ウォール・ビームの１つと前記パネル・クランプとの間にスロットを画定する、通路密閉システム。
【請求項２０】
パネルクランプの第二端部は角度付きフランジを有し、前記角度付きフランジが、前記通路密閉システムのブランキング・パネルと前記パネルクランプとの間の開口を密閉するフラップシールを受ける請求項１９に記載の通路密閉システム。
【請求項２１】
フラップ・シールが第１の自由端及び第２端部を有し、前記第２端部が、前記パネル・クランプの前記第２端部にある前記角度付きフランジを受けるチャネルを含む、請求項２０に記載の通路密閉システム。
【請求項２２】
各キャビネット上方ブランキング・パネルが、頂部、底部、第１側部及び第２側部を有し、キャビネット上方ブランキング・パネルの前記底部を受けるために、少なくとも１つのキャビネットの頂部にキャビネット・チャネルが固定され、各キャビネット上方ブランキング・パネルが、隣接キャビネット上方ブランキング・パネルに部分的に重なり合い、前記キャビネット上方ブランキング・パネルが、前記キャビネットと前記ウォール・ビームとの間の開放空間を塞ぐために、前記キャビネット・チャネル内で相互に対して摺動する、請求項１９に記載の通路密閉システム。
【請求項２３】
前記ウォール・ビーム間に延在する天井パネルをさらに備える、請求項１９に記載の通路密閉システム。
【請求項２４】
床に配置されるフレームであって、ウォール・ビーム、ヘッダ・フレーム、及び前記ウォール・ビームと前記ヘッダ・フレームに固定された複数のポストによって形成され、前記ヘッダ・フレームが前記フレームの幅を延長し、前記ウォール・ビームが前記フレームの長さを延長する前記フレームと、
前記床から前記ウォール・ビームの１つへ延在する複数のブランキング・パネルであって、各ブランキング・パネルが前記フレームの前記長さに沿って隣接ブランキング・パネルに部分的に重なり、前記ブランキング・パネルが、通路密閉システムの開口を塞ぐように側方へ調節される、複数のブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、角度付きフランジを有する第２端部と、を有する、パネル・クランプと、
を備え、前記固定されたパネル・クランプが、前記ブランキング・パネルを受けるために、前記ウォール・ビームの１つと前記パネル・クランプとの間にスロットを画定する、通路密閉システム。
【請求項２５】
角度付きフランジが、前記通路密閉システムの前記ブランキング・パネルと前記パネル・クランプとの間の開口を密閉するようにフラップ・シールを受ける、請求項２４に記載の通路密閉システム。
【請求項２６】
フラップ・シールが、第１の自由端及び第２端部を有し、前記第２端部が、前記パネル・クランプの前記第２端部にある角度付きフランジを受けるチャネルを含む、請求項２４に記載の通路密閉システム。
【請求項２７】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項２４に記載の通路密閉システム。
【請求項２８】
前記通路密閉システムの前記ウォール・ビームの下に設置された複数のキャビネット、及び、前記ウォール・ビームと前記キャビネットとの間の任意の開口を塞ぐために、前記複数のキャビネットの上方に設置された複数の調節可能なキャビネット上方ブランキング・パネルをさらに備える、請求項２４に記載の通路密閉システム。
【請求項２９】
各キャビネット上方ブランキング・パネルが、隣接するキャビネット上方ブランキング・パネルに部分的に重なり合い、前記キャビネット上方ブランキング・パネルが、前記キャビネットと前記ウォール・ビームとの間の開放空間を塞ぐよう、前記キャビネット・チャネル内で相互に対して摺動する、請求項２８に記載の通路密閉システム。
【請求項３０】
前記ウォール・ビーム間に延在する天井パネルをさらに備える、請求項２４に記載の通路密閉システム。
【請求項３１】
床に配置されるフレームであって、ウォール・ビーム、ヘッダ・フレーム、及び前記ウォール・ビームと前記ヘッダ・フレームに固定された複数のポストによって形成される、フレームと、
前記床から前記ウォール・ビームの１つへ延在する複数のブランキング・パネルであって、頂部、底部、第一側部及び第２側部を有し、各ブランキング・パネルが前記フレームの長さに沿って隣接ブランキング・パネルに部分的に重なり、前記ブランキング・パネルが、通路密閉システムの開口を塞ぐように側方へ調節される、複数のブランキング・パネルと、
前記ウォール・ビームの１つに固定されたパネル・クランプであって、前記固定されたパネル・クランプが、前記ウォール・ビームの１つと前記パネル・クランプとの間に、前記ブランキング・パネルを受けるためのスロットを画定する、パネル・クランプと、
を備え、前記パネル・クランプが、第１端部と、第２端部と、を有し、前記パネル・クランプの第１端部が、前記ウォール・ビームの１つに調節可能に固定され、かつ前記パネル・クランプの第２端部が、角度付きフランジを有し、前記パネル・クランプの第１端部が、締結具を受けるための細長い開口を有して前記パネル・クランプを前記ウォール・ビームの１つに固定する、通路密閉システム。
【請求項３２】
各ブランキング・パネルの前記第一側部及び前記第２側部の少なくとも一方に沿って配置された鉛直スチフナをさらに備え、
各鉛直スチフナが、前記ブランキング・パネルを調節するハンドルを提供するための外方延在フランジを有する、請求項３１に記載の通路密閉システム。
【請求項３３】
隣接ブランキング・パネルの前記外方延在フランジが、反対方向へ延在する、請求項３２に記載の通路密閉システム。